(57)【要約】【課題】圧縮操作が容易で圧縮スリーブを効率的に圧縮でき、かつ、略一直線状に電線同士を接続可能な圧縮装置を提供する。【解決手段】圧縮装置１は、電線２を載置するための第１の操作部３と、第１の操作部３に載置された電線２を移動しないように保持するための保持部４と、第１の操作部３に揺動可能に連結された第２の操作部５と、第１の操作部３と第２の操作部５との連結部６に設けられた付勢材７と、電線２の端末２ａを挿入した圧縮スリーブ９を圧縮するための歯部８と、を備えている。【選択図】図２
2011147248.tif 000002
【特許請求の範囲】
【請求項１】
電線の端末に圧縮スリーブを接続するための圧縮装置であって、
前記電線を載置するための第１の操作部と、
前記第１の操作部に取り付けられて、前記第１の操作部に載置された前記電線を保持するための保持部と、
前記第１の操作部に揺動可能に連結された第２の操作部と、
前記第１の操作部及び前記第２の操作部を互いに離間する方向に付勢する付勢材と、
前記第１の操作部に載置された前記電線の延長線上に設けられた第１の複数の歯部と、
前記第２の操作部の前記第１の歯部と対向する位置に設けられて、前記第１の歯部と協同して前記電線の端末を挿入した圧縮スリーブを圧縮するための第２の複数の歯部と、
を備えることを特徴とする圧縮装置。
【請求項２】
前記第１の歯部及び前記第２の歯部は、それぞれ前記第１の操作部及び前記第２の操作部に対して着脱可能であることを特徴とする請求項１に記載の圧縮装置。
【請求項３】
前記第１の歯部及び前記第２の歯部は、
それぞれ前記第１の操作部及び前記第２の操作部に回転可能に設置されたリング状の回転体と、
前記回転体の外周に取り付けられた径の異なる複数のダイスと、
を備えることを特徴とする請求項１又は２に記載の圧縮装置。
【請求項４】
前記保持部は、
前記第１の操作部に前記電線を押圧するための円弧状の板材と、
前記板材の一端部を前記第１の操作部に固定するためのネジと、
を備えることを特徴とする請求項１に記載の圧縮装置。
【発明の詳細な説明】
【技術分野】
【０００１】
本発明は、電線の端末に圧縮スリーブを接続するための圧縮装置に関する。
【背景技術】
【０００２】
従来より、電線の引込線等を接続する際は、電線の端末を円筒形状の圧縮スリーブ内に挿入し、圧縮ペンチで圧縮することにより、電線の端末に圧縮スリーブを接続していた。
【発明の概要】
【発明が解決しようとする課題】
【０００３】
しかしながら、圧縮ペンチを用いて圧縮スリーブを電線に接続する方法では、圧縮スリーブの長さが圧縮ペンチの幅よりも長いので、圧縮作業を、例えば、４回〜６回程度繰り返さなければならず、作業効率が悪いという問題点があった。
また、大型の圧縮ペンチは両手で操作しなければならないが、圧縮スリーブ内に電線の端末を挿通した後、電線を手で保持しておく必要があるため、電柱上等の高所において１人で作業するような場合には、操作性が悪いという問題点があった。さらに、電線を手で保持しながら圧縮ペンチを使用するため、接続した電線同士が一直線とならず、曲がった状態で接続されてしまい、電線の電気特性を低下させてしまうという問題点もあった。
【０００４】
そこで、本発明は、上記の問題点を鑑みてなされたものであり、圧縮操作が容易で圧縮スリーブを効率的に圧縮でき、かつ、略一直線状に電線同士を接続可能な圧縮装置を提供することを目的とする。
【課題を解決するための手段】
【０００５】
本発明は、電線の端末に圧縮スリーブを接続するための圧縮装置であって、
前記電線を載置するための第１の操作部と、
前記第１の操作部に取り付けられて、前記第１の操作部に載置された前記電線を保持するための保持部と、
前記第１の操作部に揺動可能に連結された第２の操作部と、
前記第１の操作部及び前記第２の操作部を互いに離間する方向に付勢する付勢材と、
前記第１の操作部に載置された前記電線の延長線上に設けられた第１の複数の歯部と、
前記第２の操作部の前記第１の歯部と対向する位置に設けられて、前記第１の歯部と協同して前記電線の端末を挿入した圧縮スリーブを圧縮するための第２の複数の歯部と、
を備えることを特徴とする。
【０００６】
本発明によれば、電線を保持するための保持部を備えているので、圧縮スリーブを圧縮する際に、電線を手などで保持する必要が無い。したがって、両手で圧縮装置を操作することができる。さらに、圧縮作業を行っても電線は移動しないため、電線同士を略一直線状に接続することができる。
また、第１の複数の歯部及び第２の複数の歯部が、それぞれ第１の操作部及び第２の操作部に設けられているので、一度の作業で圧縮スリーブを圧縮することができる。したがって、圧縮作業を効率良く行うことができる。
【０００７】
また、本発明において、前記第１の歯部及び前記第２の歯部は、それぞれ前記第１の操作部及び前記第２の操作部に対して着脱可能であることとしてもよい。
【０００８】
本発明によれば、各歯部は着脱可能なので、圧縮スリーブの長さに応じて歯部の数を調整することができる。したがって、様々な長さの圧縮スリーブを１台の圧縮装置で圧縮することができる。
【０００９】
また、本発明は、前記第１の歯部及び前記第２の歯部は、それぞれ前記第１の操作部及び前記第２の操作部に回転可能に設置されたリング状の回転体と、前記回転体の外周に取り付けられた径の異なる複数のダイスと、を備えることとしてもよい。
【００１０】
本発明によれば、各歯部は径の異なる複数のダイスを備えているので、様々な径の圧縮スリーブを１台の圧縮装置で圧縮することができる。
また、回転体を回転させることにより、所望の径のダイスを容易に選択することができる。
【００１１】
また、本発明において、前記保持部は、前記第１の操作部に前記電線を押圧するための円弧状の板材と、前記板材の一端部を前記第１の操作部に固定するためのネジと、を備えることとしてもよい。
【００１２】
本発明によれば、保持部は簡易な機構なので、安価に作製することができる。
【発明の効果】
【００１３】
本発明によれば、圧縮操作が容易で圧縮スリーブを効率的に圧縮でき、かつ、略一直線状に電線同士を接続可能な圧縮装置を提供できる。
【図面の簡単な説明】
【００１４】
【図１】本発明の実施形態に係る圧縮装置の斜視図である。
【図２】本発明の実施形態に係る圧縮装置の側断面図である。
【図３】図２のＡ矢視図であり、複数の歯部及び圧縮コイルバネをくぼみ内に設置した状態を示す図である。
【図４】図２のＢ−Ｂ’断面図であり、第１の操作部の一部を示す図である。
【図５】図２のＣ−Ｃ’断面図であり、第２の操作部の一部を示す図である。
【図６】歯部の正面図、側面図及び背面図である。
【図７】圧縮装置の他の実施例を示す概略側面図である。
【発明を実施するための形態】
【００１５】
以下、本発明の好ましい実施形態について図面を用いて詳細に説明する。
【００１６】
図１〜図５に示すように、圧縮装置１は、電線２を載置するための第１の操作部３と、第１の操作部３に載置された電線２を保持するための保持部４と、第１の操作部３に連結された第２の操作部５と、第１の操作部３と第２の操作部５との連結部６に設けられた付勢材７と、電線２の端末２ａを挿入した圧縮スリーブ９を圧縮するための第１の歯部８ａ及び第２の歯部８ｂと、を備えている。
【００１７】
図１及び図２に示すように、第１の操作部３及び第２の操作部５は、それぞれの縁部３ａ及び縁部５ａにおいて互いに揺動可能に連結されている。
【００１８】
付勢材７として、本実施形態では、ねじりコイルバネを用いた。このねじりコイルバネは、その両腕７ａ、７ｂがそれぞれ第１の操作部３及び第２の操作部５に固定されており、第１の操作部３と第２の操作部５とを互いに離間する方向に付勢する。
【００１９】
第２の操作部５の上記縁部５ａとは反対側の縁部５ｂには、第２の操作部５を操作するための操作棒１０が、蝶番１１を介して折りたたみ可能に取り付けられている。
なお、本実施形態においては、第２の操作部５にのみ操作棒１０を取り付けた場合について説明したが、これに限定されるものではなく、第１の操作部３にも操作棒１０を取り付けてもよい。
【００２０】
図３に示すように、保持部４は、電線２同士を接続する際に、両方の電線２を保持できるように、第１の歯部８ａの両側にそれぞれ設けられている。
【００２１】
保持部４は、第１の操作部３に電線２を押圧するための円弧状の板材１２と、板材１２の一端部１２ａを第１の操作部３に固定するためのネジ１３と、を備えている。
【００２２】
そして、板材１２の他端部１２ｂを押して上げて第１の操作部３との間に隙間を形成し、その隙間内に電線２を挿入した後、板材１２をもとに戻すことにより電線２を押圧して動かないように保持する。
【００２３】
電線２が第１の操作部３に接する部分には、収縮可能な緩衝材１６が取り付けられている。これにより、圧縮スリーブ９を圧縮する際に、電線２を傷つけることを防止できる。
【００２４】
図４及び図５に示すように、第１の操作部３には、第１の操作部３に保持された状態の電線２の延長線上の位置に半円筒状のくぼみ１４が設けられている。
【００２５】
また、第２の操作部５には、この第２の操作部５が第１の操作部３に接する状態、すなわち、圧縮装置１が閉じた状態で、くぼみ１４に対向する位置に半円筒状のくぼみ１５が設けられている。
【００２６】
くぼみ１４、１５は、その長手方向の長さは、圧縮スリーブ９の全長よりもやや長くなるように形成されている。
【００２７】
また、くぼみ１４、１５内には、その長手方向に隣接するように並べられた第１の複数の歯部８ａ、第２の複数の歯部８ｂがそれぞれに設けられている。さらに、一端がくぼみ１４、１５の端面１４ａ、１５ａに接続され、他端が最も上記端面１４ａ、１５ａ側に位置する歯部８の側面を押圧する圧縮コイルバネ１７もそれぞれに設けられている。
【００２８】
第１の複数の歯部８ａ及び第２の複数の歯部８ｂは、その全体の長さＬ（図３〜図５参照）が、圧縮スリーブ９の長さとほぼ同じになるように構成されている。なお、歯部８の数が増減しても、圧縮コイルバネ１７が伸張して、歯部８が圧縮コイルバネ１７によって押圧される状態が維持されるため、歯部８がくぼみ１４、１５内でがたつくことを防止できる。
【００２９】
図６は、歯部８の正面図、側面図及び背面図である。
図６に示すように、歯部８は、第１の操作部３及び第２の操作部５のくぼみ１４、１５内に回動可能に設けられたリング状の回転体１８と、回転体１８の外周に取り付けられた径の異なる複数のダイス１９ａ〜１９ｄと、から構成されている。
歯部８は、複数のダイス１９ａ〜１９ｄのうち、いずれか一つのダイス１９（図３及び図４では、ダイス１９ｄ）が、それぞれ第１の操作部３の上面３ｃ及び第２の操作部５の下面５ｃから突出するように設けられている
【００３０】
回転体１８の両側面には、それぞれ凹部２０、凸部２１が形成されており、隣接するように複数の回転体１８を配置すると、図３〜図５に示すように、その凹部２０と凸部２１とが係合して、すべての回転体１８を一体化することができる。したがって、第１の複数の歯部８ａ及び第２の複数の歯部８ｂは一体となって回転する。
【００３１】
また、圧縮コイルバネ１７を圧縮して、圧縮コイルバネ１７と歯部８との間に隙間を設けることにより、くぼみ１４、１５内で歯部８が移動自在となるため、歯部８をくぼみ１４、１５内から取り出すことが可能となる。
【００３２】
上述した圧縮装置１を用いて電線２の端末２ａ同士を圧縮スリーブ９を用いて接続する際には、まず、第１の歯部８ａ及び第２の歯部８ｂの両回転体１８を回転させて、圧縮スリーブ９の径に応じた適切な径のダイス１９を選択する。
次に、圧縮スリーブ９を第１の操作部３のくぼみ１４内のダイス１９上に載置し、各電線２の端末２ａを圧縮スリーブ９内に挿入する。
次に、保持部４で両電線２を動かないように保持する。
最後に、第２の操作部５を下方へ移動させて、第２の操作部５に設けられたダイス１９と第１の操作部３に設けられたダイス１９とで圧縮スリーブ９を圧縮する。
【００３３】
以上説明した本実施形態における圧縮装置１によれば、電線２を保持するための保持部４を備えているので、圧縮スリーブ９を圧縮する際に、電線２を手などで保持する必要が無い。したがって、両手で圧縮装置１を操作することができる。そして、圧縮作業を行っても電線２は移動しないため、電線２同士を略一直線状に接続することができる。さらに、保持部４は簡易な機構なので、安価に作製することができる。
【００３４】
また、圧縮スリーブ９の長さとほぼ同程度の長さになるように第１の複数の歯部８ａ及び第２の複数の歯部８ｂが設けられているので、一度の作業で圧縮スリーブ９を圧縮することができる。したがって、圧縮作業を効率良く行うことができる。
【００３５】
また、径の異なる複数のダイス１９ａ〜１９ｂを備えているので、様々な径の圧縮スリーブ９を１台の圧縮装置１で圧縮することができる。さらに、所望の径のダイス１９を選択する際は、回転体１８を回転させるだけなので、短時間で容易にダイス１９を変更することができる。
【００３６】
また、歯部８は着脱可能なので、圧縮スリーブ９の長さに応じて歯部８の数を調整することができる。したがって、様々な長さの圧縮スリーブ９を１台の圧縮装置１で圧縮することができる。
【００３７】
なお、本実施形態では、第１の操作部３の縁部３ａと第２の操作部５の縁部５ａとを回動可能に連結する場合について説明したが、これに限定されるものではなく、図７に示すように、第１の操作部３と第２の操作部５とを回動可能に連結し、第２の操作部５の一方側端部に保持部４を取り付けるとともに、それぞれの一方側端部の互いに対向する位置に第１の複数の歯部８ａ及び第２の複数の歯部８ｂを設けて、第１の操作部３及び第２の操作部５の他方側端部同士を近接することにより圧縮スリーブ９を圧縮してもよい。
【００３８】
なお、本実施形態では、２本の電線２の端末２ａ同士を接続する場合について説明したが、これに限定されるものではなく、１本の電線２の端末２ａに圧縮スリーブ９を接続する場合にも適用可能である。
【符号の説明】
【００３９】
１  圧縮装置
２  電線
２ａ  端末
３  第１の操作部
３ａ  縁部
３ｃ  上面
４  保持部
５  第２の操作部
５ａ、５ｂ  縁部
５ｃ  下面
６  連結部
７  付勢材
７ａ、７ｂ  腕
８  歯部
８ａ  第１の歯部
８ｂ  第２の歯部
９  圧縮スリーブ
１０  操作棒
１１  蝶番
１２  板材
１２ａ  一端部
１２ｂ  他端部
１３  ネジ
１４  くぼみ
１４ａ  端面
１５  くぼみ
１５ａ  端面
１６  緩衝材
１７  圧縮コイルバネ
１８  回転体
１９  ダイス
１９ａ、１９ｂ、１９ｃ、１９ｄ  ダイス
２０  凹部
２１  凸部
【図１】
2011147248.tif 000003
【図２】
2011147248.tif 000004
【図３】
2011147248.tif 000005
【図４】
2011147248.tif 000006
【図５】
2011147248.tif 000007
【図６】
2011147248.tif 000008
【図７】
2011147248.tif 000009